(57)【要約】【課題】簡単な機構部品を取り付けることにより、原稿の縁境界線を明確に検出できる原稿読取装置を提供する。【解決手段】プラテンガラス８に対して開閉自在に設けられた原稿押えカバー６と、プラテンガラス８に対して閉方向に移動する原稿押えカバー６をプラテンガラス８に対して全閉となるまで、或いは直前に開状態で保持させ、所定時間をかけて全閉方向に移動させるカバー制御部１８と、プラテンガラス８上に載せた原稿７の縁境界線を検出して原稿７の傾斜を検知する原稿検知部５０と、を具備し、原稿検知部５０は所定時間内にプラテンガラス８に載せた原稿７の傾斜を検知する、原稿読取装置１である。【選択図】図２
2009141682.tif 000002
【特許請求の範囲】
【請求項１】
プラテンガラスに対して開閉自在に設けられた原稿押えカバーと、
プラテンガラスに対して閉方向に移動する原稿押えカバーをプラテンガラスに対して全閉となる直前に開状態で保持させ、所定時間をかけて全閉方向に移動させるカバー制御部と、
前記プラテンガラス上に載せた原稿の縁境界線を検出して原稿の傾斜を検知する原稿検知部と、
を具備し、
該原稿検知部は前記所定時間内に前記プラテンガラスに載せた原稿の傾斜を検知する、
ことを特徴とする原稿読取装置。
【請求項２】
前記カバー制御部は前記プラテンガラスの周端部に設けられた突起物であることを特徴とする請求項１記載の原稿読取装置。
【請求項３】
前記カバー制御部は前記原稿押えカバーのヒンジ部に設けられていることを特徴とする請求項１記載の原稿読取装置。
【請求項４】
前記カバー制御部はダンパー機構を有することを特徴とする請求項１から請求項３のいずれか一項に記載の原稿読取装置。
【請求項５】
請求項１から請求項４のいずれか一項に記載の原稿読取装置において、
前記プラテンガラス上に載せた原稿の画像データを取得する原稿読取部と、
該原稿読取部が取得した画像データを、前記原稿検知部で検知した検知結果に基づいて作成された原稿傾斜データによって補正する画像データ補正部と、
を具備し、
前記原稿読取部が原稿の画像読み取りを開始することにより、前記原稿読取部の画像読み取りと並行して、前記画像データ補正部が、前記原稿読取部が取得した画像データを前記原稿傾斜データによって補正する、
ことを特徴とする原稿読取装置。
【発明の詳細な説明】
【技術分野】
【０００１】
本発明は、原稿読取装置の技術に関する。
【背景技術】
【０００２】
従来、ファクシミリ装置、或いは複写機といった原稿読取装置おいて、原稿の傾斜を検知する構造として、原稿押えカバーの原稿押え面を黒色に着色して、スキャン時に背面を黒色にすることにより、原稿の縁境界線を検出してその傾きにより原稿の傾きを検知する構造が知られている。
【０００３】
しかし、原稿押えカバーの原稿押え面を黒色に着色すれば、境界での光の反射の違いにより、位置の変動、或いはズレを検知し易くなるが、パンチ穴等の穴の空いた原稿の画像を読み取った場合には穴の部分が黒く再現されること、或いはセットされた原稿より大きい領域を読み取った場合には原稿のない部分が黒くなること、等の問題があった。
【０００４】
また、原稿押えカバーがプラテンガラスに対して開いた状態、及びプラテンガラスに対して完全に閉じた状態、で光を照射することにより、その光の反射の差から原稿の位置の変動、或いはズレを検知する原稿読取装置が発明されている（例えば、特許文献１）。
【特許文献１】特開２００１−３６６９５号公報
【発明の開示】
【発明が解決しようとする課題】
【０００５】
しかし、特許文献１における原稿読取装置は、原稿押えカバーがプラテンガラスに対して開いた状態で原稿の位置の変動、或いはズレを検知するが、角度センサにより原稿押えカバーとプラテンガラスとの角度を測定し、所定角度を検知した後に原稿の位置の変動、或いはズレの検知を開始することから、当該検知には角度センサが必要となるため部品点数が多くなり、当該検知の構成が複雑になるという問題点があった。また、当該検知は、原稿押えカバーがプラテンガラスに対して開いた状態、及びプラテンガラスに対して完全に閉じた状態、の２段階で行われるため、当該検知の工程が複雑となるという問題点があった。
【０００６】
本発明は、かかる問題を解決すべくなされたものであり、簡単な機構部品を取り付けることにより、原稿の縁境界線を明確に検出できる原稿読取装置を提供することを目的とする。
【課題を解決するための手段】
【０００７】
本発明の解決しようとする課題は以上の如くであり、次にこの課題を解決するための手段を説明する。
【０００８】
即ち、第１の発明に係る原稿読取装置は、プラテンガラスに対して開閉自在に設けられた原稿押えカバーと、プラテンガラスに対して閉方向に移動する原稿押えカバーをプラテンガラスに対して全閉となる直前に開状態で保持させ、所定時間をかけて全閉方向に移動させるカバー制御部と、前記プラテンガラス上に載せた原稿の縁境界線を検出して原稿の傾斜を検知する原稿検知部と、を具備し、該原稿検知部は前記所定時間内に前記プラテンガラスに載せた原稿の傾斜を検知するものである。
【０００９】
ここで、所定時間とは、原稿検知部がプラテンガラスに載せた原稿の傾斜を検知するのに充分な時間をいう。
【００１０】
第２の発明に係る原稿読取装置は、第１の発明に係る原稿読取装置において、前記カバー制御部は前記プラテンガラスの周端部に設けられた突起物である。
【００１１】
第３の発明に係る原稿読取装置は、第１の発明に係る原稿読取装置において、前記カバー制御部は前記原稿押えカバーのヒンジ部に設けられているものである。
【００１２】
第４の発明に係る原稿読取装置は、第１から第３のいずれかの発明に係る原稿読取装置において、前記カバー制御部はダンパー機構を有するものである。
【００１３】
第５の発明に係る原稿読取装置は、第１から第４のいずれかの発明に係る原稿読取装置において、前記プラテンガラス上に載せた原稿の画像データを取得する原稿読取部と、該原稿読取部が取得した画像データを、前記原稿検知部で検知した検知結果に基づいて作成された原稿傾斜データによって補正する画像データ補正部と、を具備し、前記原稿読取部が原稿の画像読み取りを開始することにより、前記原稿読取部の画像読み取りと並行して、前記画像データ補正部が、前記原稿読取部が取得した画像データを前記原稿傾斜データによって補正するものである。
【発明の効果】
【００１４】
本発明の効果として、以下に示すような効果を奏する。
【００１５】
第１の発明においては、原稿検知部が所定時間内にプラテンガラスに載せた原稿の傾斜を検知することから、原稿押えカバーがプラテンガラスに対して全閉となるまでに原稿検知部が原稿の傾斜を検知することができる。すなわち、原稿と原稿押えカバーの原稿押え面とで、原稿検知部から照射した光の反射に差が生じ、原稿の縁境界線を明確に検出できる。また、原稿の傾斜の検知は原稿押えカバーが全閉となるまでに行うため、原稿の画像の読み取り時には原稿押えカバーを全閉状態とすることができ、画像の読取精度を保持することができる。さらに、カバー制御部が所定時間をかけて原稿押えカバーを全閉方向に移動させることから、当該所定時間を制御することで原稿の傾斜の検知時間を充分に確保することができ、当該検知の精度を向上することができる。さらにまた、原稿押えカバーとプラテンガラスとの角度を検知する角度センサ等が不要であり、また原稿の傾斜の検知は原稿押えカバーがプラテンガラスに対して全閉となる前までに行うため、部品点数及び検知の工程を少なくすることができる。
【００１６】
第２の発明においては、カバー制御部がプラテンガラスの周端部に設けられた突起物であることから、画像の読み取り時の障害とならずに、原稿押えカバーを的確に保持することができる。
【００１７】
第３の発明においては、カバー制御部が原稿押えカバーのヒンジ部に設けられていることから、カバー制御部をヒンジ部と一体に成型することができるため、部品点数を少なくすることができる。また、カバー制御部がヒンジ部と一体となるため、外観を良くすることができる。
【００１８】
第４の発明においては、カバー制御部がダンパー機構を有することから、徐々に原稿押えカバーを閉じることができる。
【００１９】
第５の発明においては、原稿読取部が原稿の画像読み取りを開始することにより、原稿読取部の画像読み取りと並行して、画像データ補正部が、原稿読取部が取得した画像データを原稿傾斜データによって補正することから、画像データの処理時間を短縮することができる。
【発明を実施するための最良の形態】
【００２０】
以下、本発明の実施形態に係る原稿読取装置１について図面に基づいて説明する。図１は本発明に係る原稿読取装置１を備えた複合機１００の全体的な構成を示した斜視図である。なお、以下に、本発明に係る原稿読取装置１を備えた複合機１００として、ファクシミリ機能と複写機のコピー機能を備えた複合機１００について述べるが、本実施例はこれに限定されるものではなく、原稿読取装置１は、単なるファクシミリ装置、或いはコピー機等に適用することが可能である。
【００２１】
本発明に係る原稿読取装置１を設けた複合機１００について説明する。図１に示すように、複合機１００は、原稿読取装置１と、原稿読取装置１の下方に配置される画像形成装置２と、から構成されている。原稿読取装置１の一側には複合機１００の操作パネル３が付設される。以下、操作パネル３の付設側を複合機１００において前側とする。
【００２２】
原稿読取装置１は、原稿読取部５と、原稿検知部５０と、原稿読取部５に対して前後方向に回動自在の原稿押えカバー６と、から構成されている。原稿読取装置１は、原稿７（図２）をプラテンガラス８に載せ置いて静止原稿を読み取るフラットベットタイプの原稿読取装置として用いることができる。また、原稿読取装置１は、原稿７を搬送しながら読み取りを行うシートフィードタイプの原稿読取装置としても用いることができる。
【００２３】
原稿読取部５は、原稿７が載せ置かれるプラテンガラス８と、原稿７の画像を読み取るための読取部位であるスキャナキャリッジ３０（図６）と、スキャナキャリッジ３０が読み取った原稿７の画像データを解析し、処理する読取部５１と、を具備する。原稿読取部５は、プラテンガラス８上に載せた原稿７の画像を読み取り、画像データにする。
【００２４】
原稿検知部５０は、原稿を検知するための検知体であるスキャナキャリッジ３０と、スキャナキャリッジ３０が取得したデータを解析し、処理する検知部５２と、を具備する。原稿検知部５０は、プラテンガラス８上に載せた原稿７の縁境界線を検出して原稿７の走査方向に対する傾斜、及び原稿７のサイズを検知する。
【００２５】
スキャナキャリッジ３０は、原稿読取部５の読取部の機能と、原稿検知部５０の検知体の機能と、を有する。スキャナキャリッジ３０は、原稿７の画像が読み取られる位置へ光を照射する光源（図示せず）と、原稿７からの反射光を所定の方向へ導くための反射ミラー（図示せず）と、反射光を収束する集光レンズ（図示せず）と、収束光を電気信号に変換して出力する電荷結合素子（図示せず）と、を具備する。
【００２６】
原稿押えカバー６は、原稿読取装置１をフラットベットタイプの原稿読取装置として用いる場合に、プラテンガラス８上に載せ置いた原稿７を押圧するための原稿押圧板である。原稿押えカバー６は、複合機１００の前後方向に開閉できるように設けられている。原稿押えカバー６の原稿押え面９は、全体的に白系の色で構成されている。
【００２７】
画像形成装置２は、画像記録部１０と、画像記録部１０の下方に配置する給紙カセット１１・１１と、から構成されている。画像記録部１０は、電子写真方式のプリンタで構成され、原稿読取部５で出力された原稿７の画像、或いはファックス等による受信画像を、記録紙上に記録可能に構成されている。画像記録部１０の正面側には、画像形成装置２の排出トレイ１２が形成されている。
【００２８】
次にプラテンガラス８近傍について説明する。図２はカバー制御部１８を第４枠体１６に設けた場合の斜視図である。プラテンガラス８は、周端を枠体１３・１４・１５・１６で囲まれている。プラテンガラス８の前端部（図２下側）となる第１枠体１３は、操作パネル３と接続されている。プラテンガラス８の後端部（図２上側）となる第３枠体１５は、ヒンジ部１７・１７を介して原稿押えカバー６と接続されている。プラテンガラス８の左側端部（図２左側）となる第４枠体１６には、カバー制御部１８が設けられている。
【００２９】
カバー制御部１８は、プラテンガラス８に対して閉方向に移動する原稿押えカバー６をプラテンガラス８に対して全閉となる直前に開状態で保持させ、所定時間をかけて全閉方向へ移動させる。カバー制御部１８は、半球状の突起物であり、ダンパー機構を有している。なお、カバー制御部１８は、半球状の突起物に限定されるものではなく、原稿押えカバー６を支持できる形状であれば構わない。カバー制御部１８は、プラテンガラス８の左側端部（図２左側）となる第４枠体１６に設けられているが、特に限定されるものではなく、枠体１３・１４・１５上でも構わない。カバー制御部１８は、第４枠体１６に１つ設けられているが、複数個設けても良く、また、枠体１３・１４・１５・１６上に複数個のカバー制御部１８を均等に分配して設けても構わない。
【００３０】
このように、本発明に係る原稿読取装置１は、カバー制御部１８がプラテンガラス８の周端部に設けられた突起物であることから、画像の読み取り時の障害とならずに、原稿押えカバー６を的確に保持することができる。また、本発明に係る原稿読取装置１は、カバー制御部１８がダンパー機構を有することから、所定時間をかけて徐々に原稿押えカバー６を閉じることができる。
【００３１】
図３はカバー制御部１８をヒンジ部１７に設けた場合の斜視図である。カバー制御部１８は、枠体１３・１４・１５・１６上に設けるだけでなく、図３のように、ヒンジ部１７・１７に設けることも可能である。この場合、カバー制御部１８は、ヒンジ部１７と一体形成で設けることができる。またカバー制御部１８は、ヒンジ部１７の一方にのみ設けても構わない。
【００３２】
このように、本発明に係る原稿読取装置１は、カバー制御部１８が原稿押えカバー６のヒンジ部１７に設けられていることから、カバー制御部１８をヒンジ部１７と一体に成型することができるため、部品点数を少なくすることができる。また、カバー制御部１８がヒンジ部１７と一体となるため、外観を良くすることができる。
【００３３】
図４はカバー制御部１８のダンパー機構を示す模式図である。図４ａは原稿押えカバー６がプラテンガラス８に対して全開の状態を示す側面模式図である。図４ｂは、原稿押えカバー６がプラテンガラス８に対して全閉となる直前に、カバー制御部１８により支持されることで、開状態で保持した状態を示す側面模式図である。図４ｃは、原稿押えカバー６がプラテンガラス８に対して全閉の状態を示す側面模式図である。
【００３４】
ユーザーにより原稿押えカバー６が閉じられると、原稿押えカバー６はプラテンガラス８に対して閉方向（矢印１９）に移動する（図４ａ）。原稿押えカバー６が閉方向に移動することにより、原稿押えカバー６は原稿押え面９がプラテンガラス８に接するように閉じるが（図４ｃ）、原稿押えカバー６はカバー制御部１８と接触することにより支持され、開状態で保持される（図４ｂ）。この時、プラテンガラス８と、原稿押え面９との間には間隙２０が生じる。間隙２０は、カバー制御部１８の設置場所により間隙の大小が決まる。
【００３５】
カバー制御部１８により開状態で保持された原稿押えカバー６は、自重でカバー制御部１８を押す。カバー制御部１８はダンパー機構により、所定時間をかけて徐々に原稿押えカバー６を全閉方向に移動させる（図４ｃ）。
【００３６】
次に、原稿読取装置１の制御機構６０について説明する。図５は原稿読取装置１の制御機構６０のブロック図である。制御機構６０は、制御部６１と、読取部５１と、検知部５２と、データ記憶部６２と、から構成されている。
【００３７】
制御部６１は、制御機構６０の各部と接続され、制御機構６０の各部を制御する。
【００３８】
読取部５１は、スキャナキャリッジ３０と接続され、スキャナキャリッジ３０が読み取った原稿７の画像データを解析し、処理する。読取部５１は、スキャナキャリッジ３０とともに、原稿読取部５を構成する。読取部５１は、画像読取部５３と、画像データ補正部５４と、を具備する。
【００３９】
画像読取部５３は、スキャナキャリッジ３０が読み取った原稿７の画像データを処理し、処理した原稿７の画像データを画像データ補正部５４へ送信する。
【００４０】
画像データ補正部５４は、検知部５２から送信される原稿傾斜データに基づいて、画像補正データを作成する。そして、画像データ補正部５４は、画像読取部５３から送信された原稿７の画像データを画像補正データによって補正し、新たな原稿７の画像データを作成する。
【００４１】
検知部５２は、スキャナキャリッジ３０と接続され、スキャナキャリッジ３０が取得した奥・手前方向（主走査方向）に沿った反射光量データ（以下、シェーディングデータと称す）を解析し、処理する。検知部５２は、スキャナキャリッジ３０とともに、原稿検知部５０を構成する。検知部５２は、傾斜検知部５５と、サイズ検知部５６と、を具備する。
【００４２】
傾斜検知部５５は、スキャナキャリッジ３０が取得したシェーディングデータに基づき、シェーディング波形を導き出し、原稿７の縁の位置を検出し、プラテンガラス８に載せられた原稿７の走査方向に対する傾きを算出する。傾斜検知部５５は、算出結果に基づいて、原稿傾斜データを作成する。傾斜検知部５５は、作成した原稿傾斜データを読取部５１へ送信する。
【００４３】
サイズ検知部５６は、スキャナキャリッジ３０が取得したシェーディングデータに基づき、プラテンガラス８に載せられた原稿７のサイズを算出する。
【００４４】
データ記憶部６２は、読取部５１が作成した原稿７の画像データを記憶する。
【００４５】
次に、原稿サイズ検知シェーディングについて説明する。図６は原稿サイズ検知シェーディングにおけるスキャナキャリッジ３０の動きを示す図であり、図７は原稿サイズ検知シェーディングにおける原稿７の測定位置、及びその測定位置でのシェーディング波形を示す図である。図７ａは原稿サイズ検知シェーディングにおける原稿７の各測定位置でのシェーディング波形を示し、図７ｂは原稿サイズ検知シェーディングにおける原稿７の測定位置を示す。
【００４６】
図６に示すように、ユーザが原稿押えカバー６を開けると、原稿読取部５の左側（第４枠体１６側、図６左側）端部の待機位置で待機状態にあるスキャナキャリッジ３０（図６ａ）が、原稿読取部５の右側（第１枠体１３側、図６右側）へ移動し、所定位置（例えば、図６位置Ａ）で停止する（図６ｂ）。ユーザが原稿押えカバー６を閉じると、スキャナキャリッジ３０は、原稿押えカバー６が閉じる過程でランプを点灯する。そして、スキャナキャリッジ３０は当該ランプを点灯させながら、原稿読取部５の左側（第４枠体１６側、図６左側）端部へ移動して（図６ｃ、図６ｄ）、複数の位置（例えば、図６位置Ａ、Ｂ、Ｃ）で原稿検知のための複数のシェーディングデータを取得する。
【００４７】
傾斜検知部５５は、スキャナキャリッジ３０が取得したシェーディングデータに基づき、図７に示すようなシェーディング波形Ａ０、Ｂ０、Ｃ０を導き出し、このシェーディング波形の変化点から原稿７の縁（図７Ａ１、Ａ２、Ｂ１、Ｂ２、Ｃ１、Ｃ２）の位置を検出する。傾斜検知部５５は、検出した原稿７の縁の位置に基づき、原稿７の走査方向に対する傾きを算出する。
【００４８】
次に、原稿読取装置１の制御方法について説明する。図８は原稿読取装置１の制御方法についてのフローチャートである。
【００４９】
ユーザが原稿押えカバー６を閉じることにより（Ｓ１）、原稿押えカバー６はプラテンガラス８に対して全閉となる位置へ移動する。そして、原稿押えカバー６は、プラテンガラス８に対して全閉となる直前にカバー制御部１８に支持され、途中閉の状態（図４ｂ）となる。原稿押えカバー６は、カバー制御部１８に支持された後、カバー制御部１８のダンパー機構により所定時間をかけて徐々に全閉方向に移動する。
【００５０】
原稿押えカバー６がプラテンガラス８に対して全閉となる位置へ移動する間、スキャナキャリッジ３０は、原稿押えカバー６が閉じる過程でランプを点灯する（Ｓ２）。スキャナキャリッジ３０は当該ランプを点灯させながら原稿読取部５の左側（第４枠体１６側、図６左側）端部の待機位置へ移動する（Ｓ３）。スキャナキャリッジ３０は、待機位置へ移動しながら、複数の位置（例えば、図６位置Ａ、Ｂ、Ｃ）で原稿検知のための複数のシェーディングデータを取得する（Ｓ４）。
スキャナキャリッジ３０がシェーディングデータを取得した後、原稿押えカバー６はプラテンガラス８に対して全閉（図４ｃ）となる（Ｓ５）。
【００５１】
以上のように、スキャナキャリッジ３０のシェーディングデータの取得は、原稿押えカバー６がプラテンガラス８に対して全閉となる位置へ移動してから、原稿押えカバー６がプラテンガラス８に対して全閉となる直前にカバー制御部１８に支持され、カバー制御部１８のダンパー機構により所定時間をかけて徐々に全閉方向に移動し、最終的にプラテンガラス８に対して全閉の状態となるまでの間に行う。プラテンガラス８と、原稿押え面９との間に間隙２０が生じている（図４ｂ）間にスキャナキャリッジ３０がシェーディングデータを取得することで、原稿７と原稿押え面９とで、原稿検知部５０から照射した光の反射に差が生じ、原稿７の縁境界線が明確となる。
【００５２】
原稿押えカバー６がプラテンガラス８に対して全閉となった後、スキャナキャリッジ３０は取得したシェーディングデータを傾斜検知部５５、及びサイズ検知部５６へ送信する。傾斜検知部５５は、当該データに基づき、走査方向に対する原稿７の傾きを算出し（Ｓ６）、サイズ検知部５６は、当該データに基づき、原稿７のサイズを算出する。傾斜検知部５５は、算出結果に基づいて原稿傾斜データを作成し、作成した原稿傾斜データを読取部５１へ送信する。画像データ補正部５４は、傾斜検知部５５から送信される原稿傾斜データに基づいて、画像補正データを作成する。
【００５３】
傾斜検知部５５が原稿傾斜データを読取部５１へ送信した後、スキャナキャリッジ３０は、原稿７の画像読み取りを開始する（Ｓ７）。スキャナキャリッジ３０は、原稿７の画像読み取りを開始することで、読み取った原稿７の画像データを画像読取部５３へ随時送信する。画像読取部５３は、スキャナキャリッジ３０から送信される原稿７の画像データを処理し、処理した原稿７の画像データを画像データ補正部５４へ随時送信する。画像データ補正部５４は、随時送信されてくる原稿７の画像データを画像補正データによって補正し、新たな原稿７の画像データを作成する（Ｓ８）。新たに原稿７の画像データが作成されると当該データは随時データ記憶部６２へ保存される。画像データ補正部５４がスキャナキャリッジ３０の読み取った原稿７の全ての画像データを補正して新たにデータを作成し終わると、原稿７の画像読み取りは終了する（Ｓ９）。
【００５４】
このように、本発明に係る原稿読取装置１は、原稿検知部５０が所定時間内にプラテンガラス８に載せた原稿７の傾斜を検知することから、原稿押えカバー６がプラテンガラス８に対して全閉となるまでに原稿検知部５０が原稿７の傾斜を検知することができるため、原稿７と原稿押えカバー６の原稿押え面９とで、原稿検知部５０から照射した光の反射に差が生じ、原稿７の縁境界線を明確に検出できる。また、原稿７の傾斜の検知は原稿押えカバー６が全閉となるまでに行うため、原稿７の画像の読み取り時には原稿押えカバー６を全閉状態とすることができ、画像の読取精度を保持することができる。さらに、カバー制御部１８が所定時間をかけて原稿押えカバー６を全閉方向に移動させることから、当該所定時間を制御することで原稿７の傾斜の検知時間を充分に確保することができ、当該検知の精度を向上することができる。さらにまた、原稿押えカバー６とプラテンガラス８との角度を検知する角度センサ等が不要であり、また原稿７の傾斜の検知は原稿押えカバー６がプラテンガラス８に対して全閉となる前までに行うため、部品点数及び検知の工程を少なくすることができる。
【００５５】
また、本発明に係る原稿読取装置１は、原稿読取部５が原稿７の画像読み取りを開始することにより、原稿読取部５の画像読み取りと並行して、画像データ補正部５４が、原稿読取部５が取得した画像データを原稿傾斜データによって補正することから、画像データの処理時間を短縮することができる。
【図面の簡単な説明】
【００５６】
【図１】本発明に係る原稿読取装置１を備えた複合機１００の斜視図。
【図２】カバー制御部１８を第４枠体１６に設けた場合の斜視図。
【図３】カバー制御部１８をヒンジ部１７に設けた場合の斜視図。
【図４】カバー制御部１８のダンパー機構を示す模式図。
【図５】原稿読取装置１の制御機構６０のブロック図。
【図６】原稿サイズ検知シェーディングにおけるスキャナキャリッジ３０の動きを示す図。
【図７】原稿サイズ検知シェーディングにおける原稿７の測定位置、及びその測定位置でのシェーディング波形を示す図。
【図８】原稿読取装置１の制御方法についてのフローチャート。
【符号の説明】
【００５７】
１        原稿読取装置
５        原稿読取部
６        原稿押えカバー
７        原稿
８        プラテンガラス
１７      ヒンジ部
１８      カバー制御部
５０      原稿検知部
５４      画像データ補正部
【図１】
2009141682.tif 000003
【図２】
2009141682.tif 000004
【図３】
2009141682.tif 000005
【図４】
2009141682.tif 000006
【図５】
2009141682.tif 000007
【図６】
2009141682.tif 000008
【図７】
2009141682.tif 000009
【図８】
2009141682.tif 000010